【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
マルチユーザ多入力多出力（ＭＩＭＯ）送信の複数の空間ストリームのうちの１つまたは複数のためのパイロットの少なくとも１つの系列を生成するように構成された処理システムと、ここにおいて、パイロットの前記少なくとも１つの系列は、前記装置または他の装置によって送信されるパイロットの少なくとも１つの他の系列から区別可能である、
前記ＭＩＭＯ送信におけるデバイスへの送信のためにパイロットの前記系列を出力するためのインターフェイスと、
を備え、ここにおいて、前記処理システムは、パイロットの前記少なくとも１つの系列を、
前記複数の空間ストリームのための単一のパイロット系列、あるいは
少なくとも、第１の空間ストリームのためのパイロットの第１の系列、および第２の空間ストリームのためのパイロットの第２の系列
のどちらとして生成するかを、条件にもとづいて決定するように構成され、ここにおいて、前記条件は前記装置の地理的な位置に依存する、装置。
【請求項２】
前記複数の空間ストリームのための前記単一のパイロット系列は、前記装置が独立して配置されている場合に生成される、請求項１に記載の装置。
【請求項３】
前記複数の空間ストリームのための前記単一のパイロット系列に関して、前記処理システムは、前記複数の空間ストリームの各々の空間ストリームについて異なる循環シフト遅延（ＣＳＤ）を適用するように構成されている、請求項１に記載の装置。
【請求項４】
前記装置および前記他の装置の各々に、パイロットの異なる系列が割り当てられ、
前記複数の空間ストリームのための前記単一のパイロット系列は、前記装置に割り当てられたパイロットの系列にもとづく、請求項１に記載の装置。
【請求項５】
ワイヤレス通信のための装置であって、
第１のデバイスからの第１の多入力多出力（ＭＩＭＯ）送信に関連する１つまたは複数の空間ストリームのためのパイロットの第１の系列、および第２のデバイスからの第２のＭＩＭＯ送信に関連する１つまたは複数の空間ストリームのためのパイロットの第２の系列を取得するためのインターフェイスと、
パイロットの前記第１の系列およびパイロットの前記第２の系列にもとづいて、前記第１のデバイスおよび前記第２のデバイスについて位相トラッキングを実行するように構成された処理システムと、
を備え、
ここにおいて、前記第１のデバイスからのパイロットの前記第１の系列および前記第２のデバイスからのパイロットの前記第２の系列は、
前記複数の空間ストリームのための単一のパイロット系列、あるいは
少なくとも、第１の空間ストリームのためのパイロットの１つの系列、および第２の空間ストリームのためのパイロットの別の系列
のうちの１つであり、ここにおいて、前記第１のデバイスからのパイロットの前記第１の系列および前記第２のデバイスからのパイロットの前記第２の系列は、前記第１のデバイスおよび前記第２のデバイスの各々の地理的な位置に依存する、装置。
【請求項６】
パイロットの前記第１の系列は、前記第１のデバイスから送信される複数の空間ストリームの各々に異なる循環シフト遅延（ＣＳＤ）が適用される、単一のパイロット系列を備え、
前記処理システムは、前記複数の空間ストリームの各々を対応するＣＳＤにもとづいて区別するように構成されている、請求項５に記載の装置。
【請求項７】
前記インターフェイスは、前記ＭＩＭＯ送信に用いられる帯域幅の異なるサブチャネルにおいてパイロットの前記第１の系列およびパイロットの前記第２の系列のためのパイロットを取得する、請求項５に記載の装置。
【請求項８】
パイロットの前記第１の系列およびパイロットの前記第２の系列は、周波数または時間の少なくとも一方において直交しており、
前記処理システムは、周波数または時間における前記直交性にもとづいてパイロットの前記第１の系列およびパイロットの前記第２の系列の間の区別を行うように構成されている、請求項５に記載の装置。
【請求項９】
装置によるワイヤレス通信のための方法であって、
マルチユーザ多入力多出力（ＭＩＭＯ）送信の複数の空間ストリームのうちの１つまたは複数のためのパイロットの少なくとも１つの系列を生成することと、ここにおいて、パイロットの前記少なくとも１つの系列は、前記装置または他の装置によって送信されるパイロットの少なくとも１つの他の系列から区別可能である、
前記ＭＩＭＯ送信におけるデバイスへの送信のためにパイロットの前記系列を出力することと、
を備え、
パイロットの前記少なくとも１つの系列を、
前記複数の空間ストリームのための単一のパイロット系列、あるいは
少なくとも、第１の空間ストリームのためのパイロットの第１の系列、および第２の空間ストリームのためのパイロットの第２の系列
のどちらとして生成するかを、条件にもとづいて決定することをさらに備え、ここにおいて、前記条件は前記装置の地理的な位置に依存する、方法。
【請求項１０】
前記複数の空間ストリームのための前記単一のパイロット系列は、前記装置が独立して配置されている場合に生成される、請求項９に記載の方法。
【請求項１１】
前記複数の空間ストリームのための前記単一のパイロット系列に関して、前記複数の空間ストリームの各々の空間ストリームについて異なる循環シフト遅延（ＣＳＤ）を適用すること、
をさらに備える、請求項９に記載の方法。
【請求項１２】
装置によるワイヤレス通信のための方法であって、
第１のデバイスからの第１の多入力多出力（ＭＩＭＯ）送信に関連する１つまたは複数の空間ストリームのためのパイロットの第１の系列、および第２のデバイスからの第２のＭＩＭＯ送信に関連する１つまたは複数の空間ストリームのためのパイロットの第２の系列を取得することと、
パイロットの前記第１の系列およびパイロットの前記第２の系列にもとづいて、前記第１のデバイスおよび前記第２のデバイスについて位相トラッキングを実行することと、
を備え、
ここにおいて、前記第１のデバイスからのパイロットの前記第１の系列および前記第２のデバイスからのパイロットの前記第２の系列は、
前記複数の空間ストリームのための単一のパイロット系列、あるいは
少なくとも、第１の空間ストリームのためのパイロットの１つの系列、および第２の空間ストリームのためのパイロットの別の系列
のうちの１つであり、ここにおいて、前記第１のデバイスからのパイロットの前記第１の系列および前記第２のデバイスからのパイロットの前記第２の系列は、前記第１のデバイスおよび前記第２のデバイスの各々の地理的な位置に依存する、方法。
【請求項１３】
パイロットの前記第１の系列は、前記第１のデバイスから送信される複数の空間ストリームの各々に異なる循環シフト遅延（ＣＳＤ）が適用される、単一のパイロット系列を備え、
前記複数の空間ストリームの各々を対応するＣＳＤにもとづいて区別する、請求項１２に記載の方法。
【請求項１４】
局であって、
マルチユーザ多入力多出力（ＭＩＭＯ）送信の複数の空間ストリームのうちの１つまたは複数のためのパイロットの少なくとも１つの系列を生成するように構成された処理システムと、ここにおいて、パイロットの前記少なくとも１つの系列は、前記局または他の局によって送信されるパイロットの少なくとも１つの他の系列から区別可能である、
前記少なくとも１つのアンテナを介して、前記ＭＩＭＯ送信においてデバイスにパイロットの前記系列を送信するための送信機と、
を備え、ここにおいて、前記処理システムは、パイロットの前記少なくとも１つの系列を、
前記複数の空間ストリームのための単一のパイロット系列、あるいは
少なくとも、第１の空間ストリームのためのパイロットの第１の系列、および第２の空間ストリームのためのパイロットの第２の系列
のどちらとして生成するかを、条件にもとづいて決定するように構成され、ここにおいて、前記条件は前記装置の地理的な位置に依存する、局。
【請求項１５】
アクセスポイントであって、
少なくとも１つのアンテナと、
前記少なくとも１つのアンテナを介して、第１のデバイスからの第１の多入力多出力（ＭＩＭＯ）送信に関連する１つまたは複数の空間ストリームのためのパイロットの第１の系列、および第２のデバイスからの第２のＭＩＭＯ送信に関連する１つまたは複数の空間ストリームのためのパイロットの第２の系列を受信するための受信機と、
パイロットの前記第１の系列およびパイロットの前記第２の系列にもとづいて、前記第１のデバイスおよび前記第２のデバイスについて位相トラッキングを実行するように構成された処理システムと、
を備え、
ここにおいて、前記第１のデバイスからのパイロットの前記第１の系列および前記第２のデバイスからのパイロットの前記第２の系列は、
前記１つまたは複数の空間ストリームのための単一のパイロット系列、あるいは
少なくとも、第１の空間ストリームのためのパイロットの１つの系列、および第２の空間ストリームのためのパイロットの別の系列
のうちの１つであり、ここにおいて、前記第１のデバイスからのパイロットの前記第１の系列および前記第２のデバイスからのパイロットの前記第２の系列は、前記第１のデバイスおよび前記第２のデバイスの各々の地理的な位置に依存する、アクセスポイント。
【手続補正２】
【補正対象書類名】明細書
【補正対象項目名】００８６
【補正方法】変更
【補正の内容】
【００８６】
[0096]特許請求の範囲が、上述した正確な構成および構成要素に限られないことが、理解されるべきである。種々の修正、変更、および変形が、特許請求の範囲の技術的範囲から逸脱することなく、上述した方法および装置の構成、動作、および詳細において、行われ得る。
以下に本願の出願当初の特許請求の範囲に記載された発明を付記する。
［Ｃ１］  ワイヤレス通信のための装置であって、
マルチユーザ多入力多出力（ＭＩＭＯ）送信の複数の空間ストリームのうちの１つまたは複数のためのパイロットの少なくとも１つの系列を生成するように構成された処理システムと、ここにおいて、パイロットの前記少なくとも１つの系列は、前記装置または他の装置によって送信されるパイロットの少なくとも１つの他の系列から区別可能である、
前記ＭＩＭＯ送信におけるデバイスへの送信のためにパイロットの前記系列を出力するためのインターフェイスと、
を備える装置。
［Ｃ２］  前記処理システムは、パイロットの前記少なくとも１つの系列を、
前記複数の空間ストリームのための単一のパイロット系列、あるいは
少なくとも第１の空間ストリームのためのパイロットの第１の系列および第２の空間ストリームのためのパイロットの第２の系列
のどちらとして生成するかを、条件にもとづいて決定するように構成されている、Ｃ１に記載の装置。
［Ｃ３］  前記複数の空間ストリームのための前記単一のパイロット系列に関して、前記処理システムは、前記複数の空間ストリームの各々の空間ストリームについて異なる循環シフト遅延（ＣＳＤ）を適用するように構成されている、Ｃ２に記載の装置。
［Ｃ４］  前記装置および前記他の装置の各々に、パイロットの異なる系列が割り当てられ、
前記複数の空間ストリームのための前記単一のパイロット系列は、前記装置に割り当てられたパイロットの系列にもとづく、Ｃ２に記載の装置。
［Ｃ５］  パイロットの前記第１の系列およびパイロットの前記第２の系列は、周波数において直交する、または時間において直交する、の少なくとも一方である、Ｃ２に記載の装置。
［Ｃ６］  パイロットの前記第１の系列およびパイロットの前記第２の系列は、周波数において直交する異なる空間ストリームのためのパイロットの系列を生成するように設計されたマッピング行列を使用して生成される、Ｃ２に記載の装置。
［Ｃ７］  パイロットの前記第１の系列およびパイロットの前記第２の系列は、異なるパイロットトーンへのパイロット値のマッピングを使用して生成される、Ｃ２に記載の装置。
［Ｃ８］  パイロットの前記第１の系列およびパイロットの前記第２の系列は、前記ＭＩＭＯ送信に用いられる帯域幅の異なるサブチャネルにおいて送信されるべきパイロットを備える、Ｃ２に記載の装置。
［Ｃ９］  前記ＭＩＭＯ送信に用いられる帯域幅の異なるサブチャネルにおいて送信されるべきパイロットの前記第１の系列およびパイロットの前記第２の系列は、時間において直交する異なる空間ストリームのためのパイロットの系列を生成するように設計されたウォルシュ行列を使用して生成される、Ｃ８に記載の装置。
［Ｃ１０］  ワイヤレス通信のための装置であって、
第１のデバイスからの第１の多入力多出力（ＭＩＭＯ）送信に関連する１つまたは複数の空間ストリームのためのパイロットの第１の系列、および第２のデバイスからの第２のＭＩＭＯ送信に関連する１つまたは複数の空間ストリームのためのパイロットの第２の系列を取得するためのインターフェイスと、
パイロットの前記第１の系列およびパイロットの前記第２の系列にもとづいて、前記第１のデバイスおよび前記第２のデバイスについて位相トラッキングを実行するように構成された処理システムと、
を備える装置。
［Ｃ１１］  パイロットの前記第１の系列は、前記第１のデバイスから送信される複数の空間ストリームの各々に異なる循環シフト遅延（ＣＳＤ）が適用される、単一のパイロット系列を備え、
前記処理システムは、前記複数の空間ストリームの各々を対応するＣＳＤにもとづいて区別するように構成されている、Ｃ１０に記載の装置。
［Ｃ１２］  前記インターフェイスは、前記ＭＩＭＯ送信に用いられる帯域幅の異なるサブチャネルにおいてパイロットの前記第１の系列およびパイロットの前記第２の系列のためのパイロットを取得する、Ｃ１０に記載の装置。
［Ｃ１３］  パイロットの前記第１の系列およびパイロットの前記第２の系列は、周波数または時間の少なくとも一方において直交しており、
前記処理システムは、周波数または時間における前記直交性にもとづいてパイロットの前記第１の系列およびパイロットの前記第２の系列の間の区別を行うように構成されている、Ｃ１０に記載の装置。
［Ｃ１４］  前記第１のデバイスおよび前記第２のデバイスに、パイロットの異なる系列が割り当てられ、前記処理システムは、パイロットの前記異なる系列にもとづいて前記第１のデバイスおよび前記第２のデバイスの間の区別を行うように構成されている、Ｃ１０に記載の装置。
［Ｃ１５］  装置によるワイヤレス通信のための方法であって、
マルチユーザ多入力多出力（ＭＩＭＯ）送信の複数の空間ストリームのうちの１つまたは複数のためのパイロットの少なくとも１つの系列を生成することと、ここにおいて、パイロットの前記少なくとも１つの系列は、前記装置または他の装置によって送信されるパイロットの少なくとも１つの他の系列から区別可能である、
前記ＭＩＭＯ送信におけるデバイスへの送信のためにパイロットの前記系列を出力することと、
を備える方法。
［Ｃ１６］  パイロットの前記少なくとも１つの系列を、
前記複数の空間ストリームのための単一のパイロット系列、あるいは
少なくとも第１の空間ストリームのためのパイロットの第１の系列および第２の空間ストリームのためのパイロットの第２の系列
のどちらとして生成するかを、条件にもとづいて決定すること、
をさらに備える、Ｃ１５に記載の方法。
［Ｃ１７］  前記複数の空間ストリームのための前記単一のパイロット系列に関して、前記複数の空間ストリームの各々の空間ストリームについて異なる循環シフト遅延（ＣＳＤ）を適用すること、
をさらに備える、Ｃ１６に記載の方法。
［Ｃ１８］  前記装置および前記他の装置の各々に、パイロットの異なる系列が割り当てられ、
前記複数の空間ストリームのための前記単一のパイロット系列は、前記装置に割り当てられたパイロットの系列にもとづく、Ｃ１６に記載の方法。
［Ｃ１９］  パイロットの前記第１の系列およびパイロットの前記第２の系列は、周波数において直交する、または時間において直交する、の少なくとも一方である、Ｃ１６に記載の方法。
［Ｃ２０］  パイロットの前記第１の系列およびパイロットの前記第２の系列を生成することは、周波数において直交する異なる空間ストリームのためのパイロットの系列を生成するように設計されたマッピング行列を使用して、パイロットの前記第１の系列およびパイロットの前記第２の系列を生成することを備える、Ｃ１６に記載の方法。
［Ｃ２１］  パイロットの前記第１の系列およびパイロットの前記第２の系列を生成することは、異なるパイロットトーンへのパイロット値のマッピングを使用してパイロットの前記第１の系列およびパイロットの前記第２の系列を生成することを備える、Ｃ１６に記載の方法。
［Ｃ２２］  出力することは、前記ＭＩＭＯ送信に用いられる帯域幅の異なるサブチャネルにおいて、パイロットの前記第１の系列およびパイロットの前記第２の系列についてのパイロットを出力することを備える、Ｃ１６に記載の方法。
［Ｃ２３］  パイロットの前記第１の系列およびパイロットの前記第２の系列を生成することは、時間において直交する異なる空間ストリームのためのパイロットの系列を生成するように設計されたウォルシュ行列を使用してパイロットの前記第１の系列およびパイロットの前記第２の系列を生成することを備える、Ｃ２２に記載の方法。
［Ｃ２４］  装置によるワイヤレス通信のための方法であって、
第１のデバイスからの第１の多入力多出力（ＭＩＭＯ）送信に関連する１つまたは複数の空間ストリームのためのパイロットの第１の系列、および第２のデバイスからの第２のＭＩＭＯ送信に関連する１つまたは複数の空間ストリームのためのパイロットの第２の系列を取得することと、
パイロットの前記第１の系列およびパイロットの前記第２の系列にもとづいて、前記第１のデバイスおよび前記第２のデバイスについて位相トラッキングを実行することと、
を備える方法。
［Ｃ２５］  パイロットの前記第１の系列は、前記第１のデバイスから送信される複数の空間ストリームの各々に異なる循環シフト遅延（ＣＳＤ）が適用される、単一のパイロット系列を備え、
前記複数の空間ストリームの各々は、対応するＣＳＤにもとづいて区別される、Ｃ２４に記載の方法。
［Ｃ２６］  パイロットの前記第１の系列およびパイロットの前記第２の系列のためのパイロットを取得することは、前記ＭＩＭＯ送信に用いられる帯域幅の異なるサブチャネルにおいてパイロットの前記第１の系列およびパイロットの前記第２の系列のための前記パイロットを取得することを備える、Ｃ２４に記載の方法。
［Ｃ２７］  パイロットの前記第１の系列およびパイロットの前記第２の系列は、周波数または時間の少なくとも一方において直交しており、
周波数または時間における前記直交性にもとづいてパイロットの前記第１の系列およびパイロットの前記第２の系列の間の区別を行うことをさらに備える、Ｃ２４に記載の方法。
［Ｃ２８］  パイロットの異なる系列が、前記第１のデバイスおよび第２のデバイスに割り当てられ、
パイロットの前記異なる系列にもとづいて前記第１のデバイスおよび前記第２のデバイスの間の区別を行うことをさらに備える、Ｃ２４に記載の方法。